(57)【要約】【課題】駆動用電源ラインの幅寸法を広くすることなく、電圧降下を抑え、共通インピーダンスによるクロストークを抑えて表示ばらつきの少ない電気光学装置、及び電子機器を提供する。【解決手段】第２の駆動用電源ライン１１と電源線ＸＲ　とは、第１の駆動用電源ライン１０を跨ぎ、ゲート配線１２を介して接続されており、さらに、該ゲート配線１２には補助配線１５が接続されている。【選択図】　　図１
2004109812.tif 000002
【特許請求の範囲】
【請求項１】
ＲＧＢ各色に対応した３種類の電流駆動素子と、
複数の前記電流駆動素子を有するマトリクス表示部と、
前記マトリクス表示部の周辺に配設され、前記電流駆動素子に接続される複数の電極線を連接する、少なくとも２本の駆動用電源ラインと、
を備える電気光学装置であって、
前記駆動用電源ライン及び前記電極線は、全て同一レイヤに形成され、
前記マトリクス表示部の最も近傍に配設される一方の駆動用電源ラインと、該駆動用電源ラインの外周に配設される他方の駆動用電源ラインに連接された電源線とは立体的に交差してなり、
前記他方の駆動用電源ラインと前記電源線とは、前記一方の駆動用電源ラインを迂回し、前記レイヤの下層にそれぞれ配設されるゲート配線及び補助配線を介して連接されることを特徴とする電気光学装置。
【請求項２】
前記補助配線は、ＩＴＯ電極と接続されるバリア層であることを特徴とする請求項１記載の電気光学装置。
【請求項３】
前記補助配線は、遮光層であることを特徴とする請求項１記載の電気光学装置。
【請求項４】
前記駆動用電源ライン及び前記電源線は、それぞれ金属材で形成され、かつ、前記補助配線は、ポリシリコン、またはシリコン化合物で形成されてなり、
前記補助配線は、該補助配線専用のコンタクトホールを介して、前記ゲート配線に連接されることを特徴とする請求項１から３のいずれか一項に記載の電気光学装置。
【請求項５】
前記駆動用電源ライン、前記電源線、及び前記補助配線は、それぞれ金属材で形成されてなり、
前記補助配線は、前記駆動用電源ライン及び前記電源線と、前記ゲート配線とを連接させるコンタクトホールを共有して連接されることを特徴とする請求項１から３のいずれか一項に記載の電気光学装置。
【請求項６】
前記コンタクトホールは、１カ所の連接部に対して、少なくとも２個設けられることを特徴とする請求項４または５に記載の電気光学装置。
【請求項７】
請求項１から６に記載の電気光学装置の少なくとも１つを含むことを特徴とする電子機器。
【発明の詳細な説明】
【０００１】
【発明の属する技術分野】
本発明は、電気光学装置、及び電子機器に係り、特に、電流駆動素子を駆動させる電気光学装置、及び電子機器に関する。
【０００２】
【従来の技術】
従来、電流駆動素子を備えた有機ＥＬパネル等の電気光学装置が各種提案されている。一般的な電気光学装置は、ＲＧＢ各色に対応した３種類の電流駆動素子と、複数の前記電流駆動素子を有するマトリクス表示部と、該マトリクス表示部の周辺に配設され、前記電流駆動素子にそれぞれ接続される複数の電源線を連接する、ＲＧＢ各色に対応した３本の駆動用電源ラインとから構成されている。
【０００３】
このように複数の電源ラインが混在する場合においては、各駆動用電源ライン及び各電源線を互いに異なる配線層に設けるか（例えば、特許文献１参照。）又は、交差部を除いて全て同一レイヤに形成し、交差部において一方の配線を他の一の層に迂回させていた（例えば、特許文献２参照。）。
【０００４】
【特許文献１】
特開平６−１２０２２２号公報
【特許文献２】
特開２００２−２２９４８０号公報
【０００５】
【発明が解決しようとする課題】
しかしながら、上記従来技術においては、以下のような問題点を有していた。即ち、複数の電源配線をそれぞれ別の配線層に配置した場合には、配線層の数が増えて製造プロセスの複雑化、量産性の低下、品質の劣化を招来する。また、交差部の迂回配線においては、通常、有機ＥＬ等の電流駆動素子を駆動する場合には、陽極と陰極間に直流電流が流れるので、駆動用電源ラインまたは電源線で電圧降下が生じる。上記のように、複数の駆動用電源ラインを有する場合は、マトリクス表示部の外周部に配設された第１の駆動用電源ラインに対して、該第１の駆動用電源ラインの外周に配設されている第２の駆動用電源ラインは、内側の第１の駆動用電源ラインを跨いで電源線を連接させて駆動電流を供給しなければならないので、例えば、第２の駆動用電源ラインが単層であると、跨ぎ部分の抵抗値が大きくなり、電圧降下が大きくなるという問題があった。特に、内側に配設された第１の駆動用電源ラインを跨ぐための配線として、アルミニウム等の金属材の配線ではなく、ドープされたシリコン等の体積抵抗率が大きいゲート配線等を用いる場合には、さらに大きな電圧降下が生じる。即ち、大きな電圧降下によって、電源線に供給される電位にばらつきが発生し、電極線間で共通インピーダンスによるクロストークが生じることにより、表示品質を低下させるという問題があった。
【０００６】
また、駆動用電源ラインの幅寸法を大きくすることによって、電圧降下を抑えることが可能であるが、駆動用電源ラインを配設する領域は、限られているので、上限なく幅寸法を大きくすることができないという問題があった。
【０００７】
本発明は、上記事情を鑑みてなされたものであり、駆動用電源ラインの幅寸法を広くすることなく、電圧降下を抑え、共通インピーダンスによるクロストークを抑えて表示ばらつきの少ない電気光学装置、及び電子機器を提供することを目的とする。
【０００８】
【課題を解決するための手段】
前記課題を解決するために、本発明の電気光学装置においては、ＲＧＢ各色に対応した３種類の電流駆動素子と、複数の前記電流駆動素子を有するマトリクス表示部と、前記マトリクス表示部の周辺に配設され、前記電流駆動素子に接続される複数の電極線を連接する、少なくとも２本の駆動用電源ラインと、を備える電気光学装置であって、前記駆動用電源ライン及び前記電極線は、全て同一レイヤに形成され、前記マトリクス表示部の最も近傍に配設される一方の駆動用電源ラインと、該駆動用電源ラインの外周に配設される他方の駆動用電源ラインに連接された電源線とは立体的に交差してなり、前記他方の駆動用電源ラインと前記電源線とは、前記一方の駆動用電源ラインを迂回し、前記レイヤの下層にそれぞれ配設されるゲート配線及び補助配線を介して連接されることを特徴としている。
上記の構造によれば、上記他方の駆動用電源ラインと、該駆動用電源ラインに接続される電源線とは、ゲート配線に加えて、補助配線を介して接続されているので、駆動電流が導通する配線の断面積を増加させることができる。さらに、例えば、ゲート配線の抵抗値をＲ１、補助配線の抵抗値をＲ２とすると、合成した跨ぎ抵抗値Ｒは、Ｒ＝（Ｒ１×Ｒ２）／（Ｒ１＋Ｒ２）の式を満たすので、合成した跨ぎ抵抗値Ｒを低下させることができるので、電圧降下を抑え、また、供給電圧のばらつきを抑えることが可能となる。
【０００９】
本発明の電気光学装置においては、前記補助配線は、ＩＴＯ電極と接続されるバリア層であることを特徴としている。
上記の構造によれば、補助配線として、独自の層を形成することなく、通常の多層配線デバイスで形成されるバリア層を利用することが可能となる。
【００１０】
本発明の電気光学装置においては、前記補助配線は、遮光層であることを特徴としている。
上記の構造によれば、補助配線として、独自の層を形成することなく、通常の多層配線デバイスで形成される遮光層を利用することが可能となる。
【００１１】
本発明の電気光学装置においては、前記駆動用電源ライン及び前記電源線は、それぞれ金属材で形成され、かつ、前記補助配線は、ポリシリコン、またはシリコン化合物で形成されてなり、前記補助配線は、該補助配線専用のコンタクトホールを介して、前記ゲート配線に連接されることを特徴としている。
上記の構造によれば、補助配線として、既存の配線を効率良く利用するので、簡単な構造で駆動電流が導通する配線の断面積を増加させることができ、合成した跨ぎ抵抗値を低下させ、さらに電圧降下を抑えることが可能となる。
【００１２】
本発明の電気光学装置においては、前記駆動用電源ライン、前記電源線、及び前記補助配線は、それぞれ金属材で形成されてなり、前記補助配線は、前記駆動用電源ライン及び前記電源線と、前記ゲート配線とを連接させるコンタクトホールを共有して連接されることを特徴としている。
上記の構造によれば、補助配線として、駆動用電源ライン及び電源線と同一の金属材、もしくは、前記金属材との融合性が良好な材質の膜が採用されるので、駆動電流が導通する配線の断面積が増加し、合成した跨ぎ抵抗値を低下させることができ、さらに電圧降下を抑えることが可能となる。
【００１３】
本発明の電気光学装置においては、前記コンタクトホールは、１カ所の連接部に対して、少なくとも２個設けられることを特徴としている。
上記の構造によれば、例えば、駆動用電源ラインとゲート配線等の接続部では、１カ所の連接部において複数のコンタクトホールが形成されているので、有機ＥＬ素子等の電流駆動素子に、大きな駆動電流を効率良く供給させることが可能となる。また、断面積の広いコンタクトホールを１つ形成させる場合と比較して、複数のコンタクトホールを形成させる場合は、形状が良いコンタクトホールを効率良く形成させることが可能となる。
【００１４】
本発明の電子機器においては、請求項１から６に記載の電気光学装置の少なくとも１つを含むことを特徴としている。
上記の構造によれば、電源線に供給される電位のばらつきを抑え、電極線間で共通インピーダンスによるクロストークを生じさせることなく、発光階調特性が良好に保持されるので、表示品位に優れた表示部を備えた電子機器を実現することができる。
【００１５】
【発明の実施の形態】
以下、図面を参照して本発明の実施形態による電気光学装置、及び電子機器について詳細に説明する。
【００１６】
〔電気光学装置の第１の実施形態〕
図１は、本発明の第１の実施形態における電気光学装置の駆動用電源ラインと電源線との連接部を示す概念図であり、図１（ａ）は、配線の配置を示す平面図であり、図１（ｂ）は、層構造を示す断面図である。
図１（ａ），（ｂ）に示すように、マトリクス表示部１００の外周部には、第１の駆動用電源ライン１０が配設され、さらに、該第１の駆動用電源ライン１０の外周部には、第２の駆動用電源ライン１１が、第１の駆動用電源ライン１０と同一のレイヤに配設されている。
【００１７】
第１の駆動用電源ライン１０は、例えば、マトリクス表示部１００内に複数備えられたＧｒｅｅｎ用の電流駆動素子（不図示）に駆動電流を供給する駆動用電源ラインであり、第１駆動用電源ライン１０には、Ｇｒｅｅｎ用の各電流駆動素子に駆動電流を分配する複数の電源線ＸＧ　が、第１の駆動用電源ライン１０と同一のレイヤにおいて、直接連接されている。第１の駆動用電源ライン１０及び電源線ＸＧ　は、ＡｌやＡｌＳｉＣｕ等の金属材が採用される。
【００１８】
第２の駆動用電源ライン１１は、例えば、マトリクス表示部１００内に複数備えられたＲｅｄ用の電流駆動素子（不図示）に駆動電流を供給する駆動用電源ラインである。また、Ｒｅｄ用の各電流駆動素子に駆動電流を分配する複数の電源線ＸＲ　が、Ｇｒｅｅｎ用の電源線ＸＧ　を形成する同一レイヤに形成されており、第２駆動用電源ライン１１と電源線ＸＲ　とは、前記レイヤの下層部に形成されているゲート配線１２を介して接続されている。第２の駆動用電源ライン１１及び電源線ＸＲ　は、ＡｌやＡｌＳｉＣｕ等の金属材が採用される。また、ゲート配線１２は、ゲート電極を兼ねており、材質は、ドープされたＳｉ等が採用される。
【００１９】
図１（ｂ）に示すように、第２駆動用電源ライン１１とゲート配線１２とは、該第２駆動用電源ライン１１とゲート配線１２との間に形成された複数（図中では６本）のコンタクトホール１３を介して接続されている。また、電源線ＸＲ　とゲート配線１２とは、該電源線ＸＲ　とゲート配線１２との間に形成された複数（図中では２本）のコンタクトホール１４を介して接続されている。即ち、第２駆動用電源ライン１１と電源線ＸＲ　とは、第１の駆動用電源ライン１０を迂回して接続されている。
【００２０】
さらに、図１（ｂ）に示すように、第１の駆動用電源ライン１０とゲート配線１２との層間には、補助配線１５が形成されており、補助配線１５は、該補助配線１５とゲート配線１２との間に形成された複数（図中では５本）のコンタクトホール１６を介して接続されている。
【００２１】
補助配線１５としては、例えば、ＩＴＯ電極と接続されるバリア層や画素領域以外からの光を遮断する遮光層等が採用される。図２は、高温ポリシリコンパネルにおける補助配線１５の位置関係を示す概略断面図である。高温ポリシリコンパネルは、図中最底部の石英基板２０から上層へ向かって順に、第１層間絶縁膜２１と、ゲート絶縁膜２２と、第２層間絶縁膜２３と、第３層間絶縁膜２４と、第４層間絶縁膜２５とで形成されており、さらに、該第４層間絶縁膜２５上に、感光性アクリル層２６と、陰極２７とが形成されている。なお、陰極２７は、一例として、Ａｌ、Ｃａ、ＬｉＦの各層を積層して構成されている。
【００２２】
さらに、高温ポリシリコンパネルの上記各層間には、画素領域部３０と、ＴＦＴ形成部４０と、遮光層部５０と、キャパシタ形成部６０とを備えている。画素領域部３０は、第４層間絶縁膜２５上にＩＴＯ層３１が形成され、該ＩＴＯ層３１上には、第５層間絶縁膜３２と、さらに、ＩＴＯ層３１と陰極２７間に、ＰＥＤＯＴ層３３と、ＬＥＰ層３４とから構成されている。
【００２３】
ＴＦＴ形成部４０は、第２層間絶縁膜２３部に形成されるゲート線４１と、第３層間絶縁膜２４部に形成されるバリア層４２と、第４層間絶縁膜２５部に形成されるデータ線４３とからなり、該データ線４３とバリア層４２は、ゲート絶縁膜２２部に形成されるチャネルシリコン層４４に接続され、かつ、バリア層４２は、画素領域部３０のＩＴＯ層３１に接続されている。ゲート線４１の材質は、ポリシリコンであり、バリア層４２は、ポリシリコン及びＷＳｉ等のシリサイドで形成され、データ線４３の材質には、Ａｌ又はＡｌＳｉＣｕ等のＡｌ合金が採用される。
【００２４】
遮光層部５０は、石英基板２０上に形成される遮光層５１と、ＴＦＴ形成部４０と同様に形成されるゲート線５２及びデータ線５３とからなり、該ゲート線５２及びデータ線５３とは、共に遮光層５１に接続されている。遮光層５１の材質は、ＷＳｉ等のシリサイドである。
【００２５】
キャパシタ形成部６０は、ＴＦＴ形成部４０と同様に形成されるゲート線６１と、バリア層６２と、２カ所のデータ線６３，６４と、チャネルシリコン層６５とからなり、データ線６３とゲート線６１とが接続され、データ線６４及びバリア層６２は、チャネルシリコン層６５に接続されている。
【００２６】
図１における補助配線１５には、図２において、バリア層４２が採用される。バリア層４２は、図２に示すように、高温プロセス基板においてＩＴＯ層３１と直接導通できる唯一の層であり、さらに、不図示であるが、バリア層４２とゲート線４１とは接続されており、直接導通させることが可能である。
【００２７】
したがって、本実施形態によれば、第２の駆動用電源ライン１１から電源線ＸＲ　に駆動電流を供給する際に、Ａｌ等の金属材と比較して体積抵抗率の大きいＳｉで形成されたゲート配線１２を通過するのであるが、該ゲート配線１２には補助配線１５が接続されているために、駆動電流が導通する配線の断面積が増加させることができる。さらに、例えば、ゲート配線１２の抵抗値をＲ１、補助配線１５の抵抗値をＲ２とすると、合成した跨ぎ抵抗値Ｒは、Ｒ＝（Ｒ１×Ｒ２）／（Ｒ１＋Ｒ２）の式を満たすので、合成した跨ぎ抵抗値Ｒを低下させることができるので、電圧降下を抑え、また、供給電圧のばらつきを抑えることが可能となる。
【００２８】
さらに、第２駆動用電源ライン１１とゲート配線１２とは、該第２駆動用電源ライン１１とゲート配線１２との間に形成された複数のコンタクトホール１３を介して接続され、同様に、電源線ＸＲ　とゲート配線１２とは、該電源線ＸＲ　とゲート配線１２との間に形成された複数のコンタクトホール１４を介して接続されているので、有機ＥＬ素子等の電流駆動素子に、大きな駆動電流を効率良く供給させることが可能となる。また、断面積の広いコンタクトホールを１つ形成させる場合と比較して、複数のコンタクトホール１３，１４を形成させる場合は、形状が良いコンタクトホールを効率良く形成させることが可能となる。
【００２９】
〔電気光学装置の第２の実施形態〕
図３は、本発明の第２の実施形態における電気光学装置の駆動用電源ラインと電源線との連接部を示す概念図であり、図３（ａ）は、配線の配置を示す平面図であり、図３（ｂ）は、層構造を示す断面図である。本図中において、図１と同一構成のものには、同一の符号を付している。
本実施形態における電気光学装置では、基本的な構成は、図１に示す電気光学装置と同様であるが、図１に示した、ゲート配線１２に専用のコンタクトホール１６を介して接続される補助配線１５の代わりに、第２駆動用電源ライン１１とゲート配線１２とを接続するコンタクトホール１３と、電源線ＸＲ　とゲート配線１２とを接続するコンタクトホール１４とを介して接続される補助配線１７が形成されていることを特徴とする。
【００３０】
コンタクトホール１３を連接する第２駆動用電源ライン１１と、コンタクトホール１４を連接する電源線ＸＲ　とは、金属材で形成されているので、補助配線１７は、前記金属材と同一材料、もしくは、前記金属材との融合性が良好な材質の膜が採用される。したがって、第１の実施形態における補助配線１５と比較して、駆動電流が導通する配線の断面積が増加し、合成した跨ぎ抵抗値を低下させることができるので、さらに電圧降下を抑えることが可能となる。
【００３１】
〔電気光学装置の第３の実施形態〕
図４は、本発明の第３の実施形態における電気光学装置の駆動用電源ラインと電源線との連接部を示す概念図であり、図４（ａ）は、配線の配置を示す平面図であり、図４（ｂ）は、層構造を示す断面図である。本図中において、図１及び図２と同一構成のものには、同一の符号を付している。
本実施形態における電気光学装置では、基本的な構成は、図１及び図２に示す電気光学装置と同様であるが、図１に示した補助配線１５のとして、ゲート配線１２の下層部に形成された遮光層７０を使用し、該遮光層７０は、ゲート配線１２を介さずに、第２の駆動用電源ライン１１及び電源線ＸＲ　に単独で接続されることを特徴とする。
【００３２】
ゲート配線１２は、図１に示したコンタクトホール１３の代わりに、コンタクトホール７１を介して第２の駆動用電源ライン１１に接続され、また、図１に示したコンタクトホール１４の代わりに、コンタクトホール７２を介して電源線ＸＲ　に接続される。また、遮光層７０は、図２に示した遮光層５１と同様に、第１層間絶縁膜上に形成され、第２の駆動用電源ライン１１とは、コンタクトホール７３を介して接続され、さらに、電源線ＸＲ　とは、コンタクトホール７４を介して接続される。各コンタクトホール７１〜７４は、図中では各１本記載したが、図１及び図２と同様に、接続部１カ所に対して形成されるコンタクトホールの本数は、適宜変更可能である。
【００３３】
したがって、本実施形態によれば、ゲート配線１２及び遮光層７０の２カ所の配線を利用して、即ち、駆動電流の導通路を増加させて、第２の駆動用電源ライン１１から電源線ＸＲ　に駆動電流を供給するので、合成した跨ぎ抵抗値を低下させることができ、電圧降下を抑えることが可能となる。
【００３４】
〔電気光学装置の第４の実施形態〕
図５は、本発明の第４の実施形態における電気光学装置の駆動用電源ラインと電源線との連接部を示す概念図であり、図５（ａ）は、配線の配置を示す平面図であり、図５（ｂ）は、層構造を示す断面図である。本図中において、図１，図２及び図４と同一構成のものには、同一の符号を付している。
本実施形態における電気光学装置では、基本的な構成は、図４に示す電気光学装置と同様であるが、遮光層７０は、第２の駆動用電源ライン１１及び電源線ＸＲ　とは接続されず、ゲート配線１２に接続されることを特徴とする。
【００３５】
遮光層７０は、ゲート配線１２とは、２カ所のコンタクトホール８０，８１を介して接続される。各コンタクトホール８０，８１は、図中では各１本記載したが、図１及び図２と同様に、接続部１カ所に対して形成されるコンタクトホールの本数は、適宜変更可能である。したがって、本実施形態によれば、第３の実施形態と同様の作用・効果が奏される。
【００３６】
〔電子機器〕
次に、上記電気光学装置を備えた電子機器の実施形態について説明する。
図６は、携帯電話の一例を示した斜視図である。図６において、携帯電話本体２１０には、上記の電気光学装置を用いた表示部２１１が備えられている。
【００３７】
図７は、腕時計型電子機器の一例を示した斜視図である。図７において、時計本体２２０には、上記の電気光学装置を用いた表示部２１１が備えられている。
【００３８】
図８は、ワープロ、パソコンなどの携帯型情報処理装置の一例を示した斜視図である。図８において、情報処理装置２３０には、キーボード等の入力部２３１と、情報処理装置本体２３２と、上記の電気光学装置を用いた表示部２３３とが備えられている。
【００３９】
図６〜８に示す電子機器は、上記実施形態の電気光学装置を備えており、電圧降下が抑えられることによって、電源線に供給される電位のばらつきを抑え、電極線間で共通インピーダンスによるクロストークを生じさせることなく、発光階調特性が良好に保持されるので、表示品位に優れた表示部を備えた電子機器を実現することができる。
【００４０】
以上、本発明の実施形態による電気光学装置、及び電子機器について説明したが、本発明は、上記実施形態に制限されず、本発明の範囲内で自由に変更が可能である。例えば、以下のような変形も考えられる。
【００４１】
上記実施形態においては、駆動用電源ラインの本数を、ＲＧＢ各色のうち、Ｇｒｅｅｎ用及びＲｅｄ用の２本としたが、本発明は、これに限定されるものではない。例えば、Ｇｒｅｅｎ用及びＲｅｄ用の駆動用電源ラインに、Ｂｌｕｅ用の駆動用電源ラインを加えて、３本の駆動用電源ラインを並列に配設することもあり得る。さらに、Ｒｅｄの電流駆動素子用の駆動用電源ラインと、ＧｒｅｅｎとＢｌｕｅの両電流駆動素子用の駆動用電源ラインとして、駆動用電源ラインを２本とすることもあり得る。本構成によっても、上記実施形態と同様の作用・効果が奏される。
【００４２】
【発明の効果】
以上説明したように、本発明によれば、駆動用電源ラインと、他の駆動用電源ラインを跨いで接続される電源線とは、ゲート配線に加えて、補助配線を介して接続されているので、駆動電流が導通する配線の断面積を増加させることができ、さらに、ゲート配線と補助配線との合成した跨ぎ抵抗値を低下させることができるので、電圧降下を抑え、また、供給電圧のばらつきを抑えることが可能となる。したがって、電極線間で共通インピーダンスによるクロストークを生じさせることなく、発光階調特性が良好に保持されるので、表示品位に優れた表示部を備えた電子機器を実現することが可能となる。
【図面の簡単な説明】
【図１】本発明の第１実施形態による電気光学装置の駆動用電源ラインと電源線との連接部を示す概念図であり、図１（ａ）は、配線の配置を示す平面図であり、図１（ｂ）は、層構造を示す断面図である。
【図２】本発明の第１実施形態による電気光学装置を構成する高温ポリシリコンパネルを示す概略断面図である。
【図３】本発明の第２実施形態による電気光学装置の駆動用電源ラインと電源線との連接部を示す概念図であり、図３（ａ）は、配線の配置を示す平面図であり、図３（ｂ）は、層構造を示す断面図である。
【図４】本発明の第３実施形態による電気光学装置の駆動用電源ラインと電源線との連接部を示す概念図であり、図４（ａ）は、配線の配置を示す平面図であり、図４（ｂ）は、層構造を示す断面図である。
【図５】本発明の第４実施形態による電気光学装置の駆動用電源ラインと電源線との連接部を示す概念図であり、図５（ａ）は、配線の配置を示す平面図であり、図５（ｂ）は、層構造を示す断面図である。
【図６】本発明の電気光学装置を備えた電子機器の一例である、携帯電話を示した斜視図である。
【図７】本発明の電気光学装置を備えた電子機器の一例である、腕時計型電子機器を示した斜視図である。
【図８】本発明の電気光学装置を備えた電子機器の一例である、携帯型情報処理装置を示した斜視図である。
【符号の説明】
１０　　　第１の駆動用電源ライン
１１　　　第２の駆動用電源ライン
１２　　　ゲート配線
１３，１４，１６，７１，７２，７３，７４，８０，８１　　コンタクトホール
１５，１７　　　補助配線
４２，６２　　　バリア層
５１，７０　　　遮光層
１００　　　マトリクス表示部
ＸＧ　，ＸＲ　　　電源線
【図１】
2004109812.tif 000003
【図２】
2004109812.tif 000004
【図３】
2004109812.tif 000005
【図４】
2004109812.tif 000006
【図５】
2004109812.tif 000007
【図６】
2004109812.tif 000008
【図７】
2004109812.tif 000009
【図８】
2004109812.tif 000010